(57)【要約】【課題】歯科用治療椅子のバックレストにおける肩部の幅を狭くして、術者が患者の口腔にできるだけ近づけるようにし、もって、より正確な歯科治療ができるようにする。【解決手段】バックレスト１２及びコンターシート１３を有し、該バックレスト１２が前記コンターシート１３に対して起倒可能な歯科用治療椅子において、前記バックレスト１２は両側に延長して患者の二の腕を支えるバックレストサポートＢＲ，ＢＬを有する。バックレスト１２を倒して、患者を寝状態にして歯科治療を行う際、このバックレストＢＲ，ＢＬに患者の腕を乗せるようにすることにより、バックレスト１２の肩部の幅Ｗを狭くすることができ、術者は、患者の口腔により近づくことができる。【選択図】図１
2006109991.tif 000002
【特許請求の範囲】
【請求項１】
バックレスト及びコンターシートを有し、該バックレストが前記コンターシートに対して起倒可能な歯科用治療椅子において、前記バックレストは両側に延長して患者の二の腕を支えるバックレストサポートを有することを特徴とする歯科用治療椅子。
【請求項２】
バックレスト及びコンターシートを有し、該バックレストが前記コンターシートに対して起倒可能な歯科用治療椅子において、前記コンタ−シートは両側に患者の肘を受けるサイドサポートを有し、該サイドサポートは、側方に起倒可能であり、倒した時に、コンターシートの面と、略同一面でロック可能であることを特徴とする歯科用治療椅子。
【請求項３】
バックレスト及びコンターシートを有し、該バックレストが前記コンターシートに対して起倒可能な歯科用治療椅子において、前記コンタ−シートは両側に患者の肘を受けるサイドサポートを有し、該サイドサポートは、側方に起倒可能であり、倒した時に、コンターシートの側面と略平行に垂直であることを特徴とする歯科用治療椅子。
【請求項４】
前記バックレストは両側に延長して患者の二の腕を支えるバックレストサポートを有することを特徴とする請求項２又は３に記載の歯科用治療椅子。
【発明の詳細な説明】
【技術分野】
【０００１】
本発明は、歯科用の治療椅子に係り、より詳細には、バックレスト及びコンターシートを有し、該バックレストが前記コンターシートに対して起倒可能な歯科用治療椅子において、患者の肩付近のバックレスト幅を狭めて、歯科治療に当って、術者が患者により接近することができるようにし、より確実な治療を行うことができるようにした歯科用治療椅子、及び、治療椅子への乗降に当って、肘受けが邪魔にならないようにした歯科用治療椅子に関する。
【背景技術】
【０００２】
図３は、従来の歯科用治療椅子の一例を説明するための要部概略斜視図で、該歯科用治療椅子１０は、周知のように、安頭台１１、バックレスト１２、コンターシート１３、レッグレスト１４、フットレスト１５、バックレスト１２と一体の肘受け１６等からなり、バックレスト１２はコンターシート１３に対して矢印Ａ方向に起倒可能で、かつ、基台２０内に設けられた昇降機構により上下動及び傾斜動可能になっている。
【０００３】
歯科治療に当たり、患者は治療椅子１０に座り、頭を安頭台１１に固定して治療を受ける。治療中、術者は治療椅子１０を上下動、起倒、傾斜動等させて、患者を治療しやすい姿勢にして治療を行うが、その際、術者は患者の口腔に近づくことができればできるほど、治療しやすくなる。しかし、従来の歯科用治療椅子においては、歯科治療時（バックレスト倒時）、患者の腕を乗せるためのスペースを得るため、バックレスト１２の両側部を幅広に形成しており、その分、術者が患者の口腔付近に近づけないという不便があった。
また、従来の歯科用治療椅子においては、治療椅子に乗降する際、肘受けが邪魔になり、特に、横方向からの乗降が困難であった。
【発明の開示】
【発明が解決しようとする課題】
【０００４】
本発明は、上述のごとき実情に鑑みてなされたもので、特に、歯科用治療椅子のバックレストにおける肩部の幅を狭くして、術者が患者の口腔にできるだけ近づけるようにし、もって、より正確な歯科治療ができるようにすることを目的としてなされたものである。
【０００５】
更には、肘受けを外側に起倒可能にするとともに、該肘受けを水平にして座部として利用することにより歯科用治療椅子への乗降を容易にし、或いは、肘受けが乗降の邪魔にならないように倒して、歯科用治療椅子への乗降を容易にすることを目的としてなされたものである。
【課題を解決するための手段】
【０００６】
請求項１の発明は、バックレスト及びコンターシートを有し、該バックレストが前記コンターシートに対して起倒可能な歯科用治療椅子において、前記バックレストは両側に延長して患者の二の腕を支えるバックレストサポートを有することを特徴とする。
【０００７】
請求項２の発明は、バックレスト及びコンターシートを有し、該バックレストが前記コンターシートに対して起倒可能な歯科用治療椅子において、前記コンタ−シートは両側に患者の肘を受けるサイドサポートを有し、該サイドサポートは、側方に起倒可能であり、倒した時に、コンターシートの面と、略同一面でロック可能であることを特徴とする。
【０００８】
請求項３の発明は、バックレスト及びコンターシートを有し、該バックレストが前記コンターシートに対して起倒可能な歯科用治療椅子において、前記コンタ−シートは両側に患者の肘を受けるサイドサポートを有し、該サイドサポートは、側方に起倒可能であり、倒した時に、コンターシートの側面と略平行に垂直であることを特徴とする。
【０００９】
請求項４の発明は、請求項２又は３に記載された歯科用治療椅子において、前記バックレストは両側に延長して患者の二の腕を支えるバックレストサポートを有することを特徴とする。
【発明の効果】
【００１０】
歯科用治療椅子のバックレストにおける肩部の幅を狭くして、術者が患者の口腔にできるだけ近づけるようにしたので、より正確な歯科治療を行うことができる。
【００１１】
更には、肘受けを起倒可能にするとともに、該肘受けを水平にして座部として利用可能としたので、歯科用治療椅子への乗降が容易になり、或いは、肘受けを倒して該肘受けが乗降の邪魔にならないようにしたので、歯科用治療椅子への乗降が容易になった。
【発明を実施するための最良の形態】
【００１２】
図１は、本発明による歯科用治療椅子の一実施形態を説明するための要部概略構成図で、全図を通して同様の作用をする部分には同一の参照番号を付し、その都度の説明は省略する。図１において、ＢＲ，ＢＬはバックレスト１２の両側部下方（肩部より下方）において横方向に張り出して設けられたバックレストサポートで、バックレスト１２を倒して治療状態にした時に、患者の二の腕が該バックレストサポートＢＲ，ＢＬの上に乗るようになっている。これにより、患者にサポート感を与え、患者はリラックスして治療を受けることができ、長時間寝状態で治療を受けても疲れない。また、このようにすることにより、バックレスト１２の肩部の幅Ｗを、図３に示した従来の歯科用治療椅子に対して、狭くすることができ、その分、術者は患者の口腔に近づいて治療を行うことができ、より正確な治療を行うことができる。また、患者は無理な姿勢をとることなく治療を受けることができるため、術者の負担も軽減できる。
【００１３】
図１において、ＳＲ，ＳＬはコンターシート１３の両側部に設けられたサイドサポートで、これらサイドサポートＳＲ，ＳＬは、歯科治療中は、図１において、実線に示すように、立状態にロックされており、患者は掴まる場所又は肘受けの代わりに使用することができる。このサイドサポートＳＲ，ＳＬは、図１に破線ＳＲ１，ＳＬ１にて示すように、水平になるように倒してロックすることが可能であり、このようにした状態で、治療椅子に乗降するようにすると、特に、横方向からの乗降が容易になり、例えば、この水平状態にロックされたサイドサポート上に一旦腰を下してから、コンターシート１３上に移動することができる。腰を下すとき、広い座面となるので、椅子に座るのが容易であり、更には、横にずれてから降りることが可能であるので、例えば、フットレスト１５が邪魔にならず、より容易に降りることができる。
【００１４】
図２は、前記サイドサポートＳＲ，ＳＬの更なる利用形態を説明するための図で、これらサイドサポートＳＲ，ＳＬは、図２において、点線ＳＲ２，ＳＬ２にて示すように、コンターシート１３の両側に略平行に倒すことができ、このようにすることによっても、横方向からの乗降を容易にすることができる。
【図面の簡単な説明】
【００１５】
【図１】本発明による歯科用治療椅子の一実施例を説明するための要部概略構成図である。
【図２】本発明による歯科用治療椅子の他の使用形態を説明するための要部概略構成図である。
【図３】従来の歯科用治療椅子の一例を説明するための要部概略構成図である。
【符号の説明】
【００１６】
１０…歯科用治療椅子、１１…安頭台、１２…バックレスト、１３…コンターシート、１４…レッグレスト、１５…フットレスト、１６Ｒ，１６Ｌ…肘受け、２０…基台、ＢＲ，ＢＬ…バックレストサポート、ＳＲ，ＳＬ…サイドサポート。
【図１】
2006109991.tif 000003
【図２】
2006109991.tif 000004
【図３】
2006109991.tif 000005